(57)【要約】【課題】簡便な構成を用いて内容物を所望の量だけ吐出させることができるとともに、吐出した内容物を容器本体内の内容物の残量によらず容易に受け取れる吐出容器を提供する。【解決手段】内容物Ｃが収容される有底筒状の収容体１、および上端開口が内容物Ｃの吐出される吐出口２Ａとされた有底筒状の吐出体２を備えるとともに、これらの収容体１の内部と吐出体２の内部とを連通する連通路７が形成された容器本体３と、収容体１内に、その底部１１側に向けて下降摺動可能に配設された中蓋４と、吐出体２の周壁部２２の上端部に配置されるとともに、その軸方向に交差する方向に拡がり、吐出口２Ａから吐出された内容物Ｃを受け取り可能なトレー部９と、容器本体３にヒンジ部５を介して連結され、収容体１の上端開口および吐出体２の吐出口２Ａを開閉する蓋体６と、を備え、蓋体６には、吐出口２Ａに着脱自在に嵌合される栓体６４が突設されている。【選択図】図２
2011031923.tif 000002
【特許請求の範囲】
【請求項１】
内容物が収容される有底筒状の収容体、および上端開口が内容物の吐出される吐出口とされた有底筒状の吐出体を備えるとともに、これらの収容体の内部と吐出体の内部とを連通する連通路が形成された容器本体と、
前記収容体内に、その底部側に向けて下降摺動可能に配設された中蓋と、
前記吐出体の周壁部の上端部に配置されるとともに、その軸方向に交差する方向に拡がり、前記吐出口から吐出された内容物を受け取り可能なトレー部と、
前記容器本体にヒンジ部を介して連結され、前記収容体の上端開口および前記吐出体の吐出口を開閉する蓋体と、を備え、
前記蓋体には、吐出口に着脱自在に嵌合される栓体が突設されていることを特徴とする吐出容器。
【請求項２】
請求項１に記載の吐出容器であって、
前記トレー部の上面は、凹曲面状に形成されていることを特徴とする吐出容器。
【請求項３】
請求項１又は２に記載の吐出容器であって、
その平面視において、前記トレー部は、前記中蓋と前記ヒンジ部との間に配置されていることを特徴とする吐出容器。
【発明の詳細な説明】
【技術分野】
【０００１】
本発明は、吐出容器に関する。
【背景技術】
【０００２】
従来、クリーム状の内容物を容器本体内から吐出する吐出容器として、例えば、下記特許文献１に示されるような、内容物が収容された有底筒状の容器本体と、容器本体内に底部側に向けて下降摺動可能に配設された中蓋と、上下方向に沿って延設されて中蓋を貫通し、その下端部が容器本体内に連通し上端部が外部に開口する吐出管と、を有する構成が知られている。
そして、容器本体に対して中蓋を押し下げていくと、容器本体内の内容物が加圧されて吐出管内を上方に向けて流動して、吐出管の上端部から外部へ吐出される。
【先行技術文献】
【特許文献】
【０００３】
【特許文献１】実用新案登録第２５２８９３１号公報
【発明の概要】
【発明が解決しようとする課題】
【０００４】
しかしながら、このような吐出容器においては、吐出管が中蓋を貫通しているため、内容物が外部へ漏れないようにシールしなければならない箇所や部品点数が増えるなど、製造時の組み立てが面倒であった。
例えば、前述した吐出管を用いず、中蓋に吐出口を直接形成し、該中蓋を前述のように押し下げることで、容器本体内の内容物を吐出口から中蓋上に吐出させる構成を採用すれば、部品点数は削減されると考えられる。
しかしながら、この場合、容器本体内の内容物の残量が少なくなって、中蓋が容器本体の底部側に近づくに従い、中蓋上の内容物を指ですくい取り難くなるという別の問題が生じる虞がある。
【０００５】
本発明は、このような事情に鑑みてなされたものであって、簡便な構成を用いて内容物を所望の量だけ吐出させることができるとともに、吐出した内容物を容器本体内の内容物の残量によらず容易に受け取れる吐出容器を提供することを目的としている。
【課題を解決するための手段】
【０００６】
前記目的を達成するために、本発明は以下の手段を提案している。
すなわち、本発明の吐出容器は、内容物が収容される有底筒状の収容体、および上端開口が内容物の吐出される吐出口とされた有底筒状の吐出体を備えるとともに、これらの収容体の内部と吐出体の内部とを連通する連通路が形成された容器本体と、前記収容体内に、その底部側に向けて下降摺動可能に配設された中蓋と、前記吐出体の周壁部の上端部に配置されるとともに、その軸方向に交差する方向に拡がり、前記吐出口から吐出された内容物を受け取り可能なトレー部と、前記容器本体にヒンジ部を介して連結され、前記収容体の上端開口および前記吐出体の吐出口を開閉する蓋体と、を備え、前記蓋体には、吐出口に着脱自在に嵌合される栓体が突設されていることを特徴とする。
【０００７】
本発明に係る吐出容器によれば、収容体内の中蓋を該収容体の底部側へ向けて押し下げると、収容体内の内容物が加圧されて連通路を通して吐出体内へと流動し、この吐出体内を上方に向けて移動して、吐出口から外部へ吐出される。この際、吐出体の上端部にはトレー部が配設されているので、吐出された内容物はこのトレー部上で受け取り可能とされている。このような構成により、吐出された内容物を直接手指で受け止めなくても、内容物が容器外に零れ落ちることがない。また例えば、使用者が、中蓋を押し下げつつ吐出口から吐出される内容物の分量をトレー部上で確認する場合には、内容物を吐出させる精度を高めることもできる。
【０００８】
また、この吐出容器によれば、例えば、中蓋に管状部材等を貫設するような従来の構成に対比して、構造が簡便で部品点数を削減でき、またシールの必要な箇所を少なくすることができるので、製造時の組み立てが容易である。
【０００９】
また、本発明の吐出容器は、例えば、中蓋に吐出口を直接形成するような従来の構成に対比して、中蓋の押し下げられた位置に係わらず、トレー部上から安定して内容物をすくい取ることができるので、操作性に優れている。
【００１０】
また、蓋体が、容器本体にヒンジ部を介して連結されているので、該蓋体を容器本体から分離させずに開くことができ、蓋体の紛失が防止され、取り扱い性が向上する。
また、蓋体には、吐出口に着脱自在に嵌合される栓体が突設されているので、該蓋体を閉めた際に、栓体が吐出口を閉塞して、容器本体内の内容物の固化や劣化を抑制できる。
【００１１】
また、本発明に係る吐出容器において、前記トレー部の上面は、凹曲面状に形成されていることとしてもよい。
【００１２】
この場合、トレー部の上面が凹曲面状に形成されているので、吐出口から吐出された内容物がトレー部上に確実に保持されるとともに該トレー部上から零れ落ちるようなことが防止され、内容物を安定して受け取れる。また、トレー部上の内容物を手指でぬぐい取りやすい。
【００１３】
また、本発明に係る吐出容器において、その平面視において、前記トレー部は、前記中蓋と前記ヒンジ部との間に配置されていることとしてもよい。
【００１４】
この場合、蓋体を開けた際に、中蓋とヒンジ部との間にトレー部が配置されているので、中蓋はヒンジ部から比較的離れた位置に配置される。よって、中蓋を前述のように押し下げる際、使用者の手指が蓋体やヒンジ部に接触しにくくなり、操作性が向上する。
【発明の効果】
【００１５】
本発明に係る吐出容器によれば、簡便な構成を用いて内容物を所望の量だけ吐出させることができるとともに、吐出した内容物を容器本体内の内容物の残量によらず容易に受け取ることができる。
【図面の簡単な説明】
【００１６】
【図１】本発明の一実施形態に係る吐出容器を示す上面図である。
【図２】本発明の一実施形態に係る吐出容器を示す側断面図である。
【図３】本発明の一実施形態に係る吐出容器を示す下面図である。
【発明を実施するための形態】
【００１７】
図１乃至図３に示すように、本実施形態に係る吐出容器１０は、粘性のある液状（クリーム状）の内容物Ｃを収容しておき、使用の際に使用者が所望の量だけ吐出させて手指で受け取るものである。この吐出容器１０は、内容物Ｃが収容される有底筒状の収容体１、および上端開口が内容物Ｃの吐出される吐出口２Ａとされた有底筒状の吐出体２を内部に一体に備えるとともに全体として筒状をなす容器本体３と、収容体１内に、その底部１１側に向けて下降摺動可能に配設された中蓋４と、容器本体３にヒンジ部５を介して連結され、収容体１の上端開口および吐出体２の吐出口２Ａを開閉する有頂筒状の蓋体６と、を備えている。容器本体３及び蓋体６は、共通軸と同軸に配設されている。以下、この共通軸を軸Ｏといい、軸Ｏ方向に沿って蓋体６側を上側、容器本体３側を下側といい、軸Ｏに直交する方向を径方向といい、軸Ｏ回りに沿った方向を周方向という。
【００１８】
容器本体３の収容体１は、略円板状の前記底部１１と、この底部１１の外周縁部から上側へ向けて延びる略円筒状の周壁部１２とを有している。収容体１には、その平面視で径方向の内方に向けて窪む凹曲線を呈する凹部１２Ａが、軸Ｏ方向の全長に亘って形成されている。
【００１９】
また、収容体１の上端開口には、浅底の有底筒状をなす中蓋４が該収容体１内を上下に摺動可能に嵌合されている。中蓋４は、略円板状の底部４１と、この底部４１の外周縁部から上側へ向けて延びる略円筒状の周壁部４２とを有している。中蓋４の形状は、軸Ｏに直交する断面において収容体１の周壁部１２の内周面がなす形状に対応するように形成されている。中蓋４には、その平面視で径方向の内方に向けて窪む凹曲線状の凹部４２Ａが、軸Ｏ方向の全長に亘って形成されており、この凹部４２Ａは前記凹部１２Ａに対応して配置されている。
【００２０】
そして、使用者が、中蓋４の底部４１の上面を下側へ向けて押し下げると、中蓋４の周壁部４２の外周面が収容体１の周壁部１２の内周面に摺動しつつ、収容体１に対して中蓋４が下降するようになっている。尚、図示しないが、中蓋４の上面には、使用者の操作性を向上するために「ＰＵＳＨ」「押す」等の操作案内表示部が形成されている。
【００２１】
また、容器本体３の吐出体２は、その周壁部２２が収容体１よりも小径の略円筒状又は略楕円筒状をなしている。これらの収容体１と吐出体２は並設されており、収容体１の軸及び吐出体２の軸は、軸Ｏに平行に延びている。また、吐出体２の周壁部２２のうち周方向に沿う一部は、収容体１の周壁部１２における凹部１２Ａに一体に形成されている。すなわち、収容体１と吐出体２とは、凹部１２Ａを介し一体とされている。
【００２２】
また、凹部１２Ａにおける下端部には、収容体１の内部と吐出体２の内部とを連通する連通路７が形成されている。連通路７は、その断面が、例えば、略円形状、略矩形状又はスリット状に形成されている。
【００２３】
また、容器本体３は、その周壁部１２の外周面における上端部に、径方向外方へ向けて突出するとともに周方向に沿って延びる環状の天壁部８を有している。図１の平面視において、天壁部８は、その略円環形状をなす内周の一部が、周壁部１２の凹部１２Ａの形状に対応するように径方向内方へ向けて突出する凸曲線状に形成されている。
【００２４】
また、天壁部８の上面には、吐出体２の吐出口２Ａが開口している。また、前記上面には、この吐出口２Ａが開口する部分を最深部に配置するようにして凹曲面状に窪むとともに、図１の平面視において略楕円形状をなすトレー部９が形成されている。トレー部９は、吐出体２の周壁部２２の上端部に配置されているとともに、天壁部８の上面において軸Ｏ方向に交差する方向に拡がっていて、吐出口２Ａから吐出された内容物Ｃを載置して受け取り可能に形成されている。尚、図示の例では、トレー部９の上面における軸Ｏ側の端部に吐出口２Ａが配置されている。
【００２５】
また、容器本体３において、天壁部８の外周縁部には、該外周縁部から下側へ向けて延びる略円筒状をなすとともに、この容器本体３の外観周壁部を形成する外筒３１が設けられている。外筒３１は、その上端部３１Ａの直径が下端部３１Ｂの直径及びこれらの間の中央部３１Ｃの直径よりも小さく設定されている。そして、上端部３１Ａの外周面における下端部と、中央部３１Ｃの内周面における上端部とが連結されていて、これらの連結部分には段部が形成されている。
【００２６】
また、上端部３１Ａと中央部３１Ｃの連結部分の外周面における周方向の一部には、ヒンジ部５が配設されている。詳しくは、図１に示すように、ヒンジ部５は、外筒３１の外周面において、中蓋４とトレー部９とが並ぶ方向（図１における上下方向）に沿うトレー部９側に配置されている。また、外筒３１の中央部３１Ｃの外周面には、ヒンジ部５の配設位置に対して軸Ｏを挟んだ反対側に、径方向内方へ窪む凹曲面状の凹部３１Ｄが形成されている。
【００２７】
また、蓋体６は、有頂筒状に形成され、略円板状をなす天壁部６１と、この天壁部６１の外周縁部から下側へ向けて延びる略円筒状の周壁部６２と、を有している。そして、周壁部６２の外周面における一部が、ヒンジ部５に連結されている。このように、蓋体６がヒンジ部５を介して容器本体３に連結されていて、ヒンジ部５を中心に回動させられることにより、容器本体３の収容体１の上端開口、吐出体２の吐出口２Ａ、及びトレー部９が開閉されるようになっている。
【００２８】
また、蓋体６の周壁部６２の内径と外筒３１の上端部３１Ａの外径とは、互いに略同一に設定されており、蓋体６を閉めた状態において、周壁部６２の内周面と上端部３１Ａの外周面とが密接される。また、この状態で、蓋体６の天壁部６１の下面と容器本体３の天壁部８の上面のうちトレー部９以外の部分とが密接される。
【００２９】
また、蓋体６の周壁部６２の外周面には、ヒンジ部５の配設位置に対して軸Ｏを挟んだ反対側に、径方向外方に突出する鍔状の開閉操作片６３が形成されている。また、蓋体６を閉めた状態で、開閉操作片６３は外筒３１の凹部３１Ｄの上部に位置するようにされている。
【００３０】
また、蓋体６の下面には、吐出口２Ａに着脱自在に嵌合される栓体６４が突設されている。栓体６４は、蓋体６の下面から下方へ向けて延びる略円筒状又は略楕円筒状をなし、前記下面において吐出体２の吐出口２Ａに対応する位置に配置されているとともに、その外径が吐出口２Ａの内径と略同一に設定されている。
【００３１】
以上説明したように、本実施形態に係る吐出容器１０によれば、蓋体６を開けた状態で、使用者が収容体１内の中蓋４を該収容体１の底部１１側へ向けて押し下げると、収容体１内の内容物Ｃが加圧されて連通路７を通して吐出体２内へと流動し、この吐出体２内を上方に向けて移動して、吐出口２Ａから外部へ吐出される。
【００３２】
この際、吐出体２の上端部にはトレー部９が配設されているので、吐出された内容物Ｃはこのトレー部９上で受け取り可能とされている。このような構成により、吐出された内容物Ｃを直接手指で受け止めなくても、内容物Ｃが容器外に零れ落ちることがない。また、使用者が、中蓋４を押し下げつつ吐出口２Ａから吐出される内容物Ｃの分量をトレー部９上で確認することができ、この場合、内容物Ｃを吐出させる精度を高めることもできる。
【００３３】
また、この吐出容器１０によれば、例えば、中蓋に管状部材等を貫設するような従来の構成に対比して、構造が簡便で部品点数を削減でき、またシールの必要な箇所を少なくすることができるので、製造時の組み立てが容易である。
【００３４】
また、この吐出容器１０は、例えば、中蓋に吐出口を直接形成するような従来の構成に対比して、中蓋４の押し下げられた位置に係わらず、トレー部９上から安定して内容物Ｃをすくい取ることができるので、操作性に優れている。
【００３５】
また、蓋体６が、容器本体３にヒンジ部５を介して連結されているので、該蓋体６を容器本体３から分離させずに開くことができ、蓋体６の紛失が防止され、取り扱い性が向上する。
また、蓋体６には、吐出口２Ａに着脱自在に嵌合される栓体６４が突設されているので、該蓋体６を閉めた際に、栓体６４が吐出口２Ａを閉塞して、容器本体３内の内容物Ｃの固化や劣化を抑制できる。
【００３６】
また、トレー部９の上面が凹曲面状に形成されているので、吐出口２Ａから吐出された内容物Ｃがトレー部９上に確実に保持されるとともに該トレー部９上から零れ落ちるようなことが防止され、内容物Ｃを安定して受け取れる。また、トレー部９上の内容物Ｃを手指でぬぐい取りやすい。
【００３７】
また、蓋体６を開けた際に、中蓋４とヒンジ部５との間にトレー部９が配置されているので、中蓋４はヒンジ部５から比較的離れた位置に配置される。よって、中蓋４を前述のように押し下げる際、使用者の手指が蓋体６やヒンジ部５に接触しにくくなり、操作性が向上する。
【００３８】
さらに、トレー部９の上面の軸Ｏ側の端部に吐出口２Ａが配置されているので、内容物Ｃはトレー部９上における蓋体６やヒンジ部５から比較的離された位置に吐出されることになる。よって、使用者が内容物Ｃをすくい取る際、手指が蓋体６やヒンジ部５に接触しにくくなり、操作性がより高められている。
【００３９】
尚、本発明は前述の実施の形態に限定されるものではなく、本発明の趣旨を逸脱しない範囲において種々の変更を加えることが可能である。
例えば、前述の実施形態では、容器本体３が全体として筒状に形成されていることとしたが、容器本体３の形状はこれに限定されるものではない。
【００４０】
また、収容体１と吐出体２とが凹部１２Ａを介して一体に形成されているとしたが、これに限定されるものではなく、互いの周壁部１２、２２同士を離間して形成されていても構わない。この場合、連通路７は、周壁部１２、２２同士を接続する管状等に形成されることになる。
【００４１】
また、収容体１の軸及び吐出体２の軸が、軸Ｏに平行に並設されていることとしたが、収容体１の軸と吐出体２の軸とは、互いに平行に配置されていなくてもよい。
【００４２】
また、トレー部９が、平面視において中蓋４とヒンジ部５との間に配置されていることとしたが、トレー部９の配置はこれに限定されるものではない。
また、トレー部９の上面が凹曲面状に形成されていることとしたが、これに限定されるものではなく、例えば、それ以外の平面状等であってもよい。
【００４３】
また、トレー部９が平面視で略楕円形状に形成されているとしたが、それ以外の円形状や多角形状等に形成されていてもよい。
また、トレー部９の上面における軸Ｏ側の端部に吐出口２Ａが開口していることとしたが、吐出口２Ａは前記上面におけるそれ以外の領域に開口していてもよい。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【符号の説明】
【００４５】
１  収容体
２  吐出体
２Ａ  吐出口
３  容器本体
４  中蓋
５  ヒンジ部
６  蓋体
７  連通路
９  トレー部
１０  吐出容器
１１  底部
２２  吐出体の周壁部
６４  栓体
Ｃ  内容物
【図１】
2011031923.tif 000003
【図２】
2011031923.tif 000004
【図３】
2011031923.tif 000005